(57)【特許請求の範囲】
【請求項１】
外枠(1)に組付けられた前枠(2)裏側における機構セット盤(41)の賞球払出部(14)から払出された賞球を、同セット盤(41)に形成された主排出路(44)と前枠(2)内側における遊技補助盤(7)に形成された球出口(10)を介して上球皿(19)側へ給出すると共に、主排出路(44)に連通するよう同セット盤(41)に形成された副排出路(45)と前枠(2)の下部裏側に設けられた球受け容器(46)を介して下球皿(27)側へ給出する一方、収容枠(5)内にセットされた遊技盤(35)前面の案内レール(36)下端と収容枠(5)下部の遊技補助盤(7)前面の発射レール(48)上端との間の戻し面域(49)に落入したファール球を、遊技補助盤(7)の下部中央に開口された回収口(11)から球受け容器(46)を介して下球皿(27)へ戻すようにしたパチンコ遊技機にあって、
前記機構セット盤(41)の主排出路(44)の出口周辺内に前記球出口(10)の上方に配設した支持軸(91)に枢支されて自重により常には垂下状態に姿勢保持され、前記賞球払出部(14)から払出されて主排出路(44)へ通出した賞球により通出方向へ揺動変位されて該球の球出口(10)側への通出を許容する規制揺動片(90)と、
賞球の通出方向とは反対方向へ揺動した前記規制揺動片(90)が当接して該規制揺動片(90)の揺動変位を規制し、当接した規制揺動片(90)とにより主排出路(44)を閉塞する郭壁(92)と、
前記遊技補助盤(7)の前面に設けられて上方に拡開する左右の案内片(54,54)の間に前記戻し面域(49)が臨むと共に前記球出口(10)の前面側部に出口(53)が臨み、底面(52a)を出口(53)へ向けて下方傾斜させた壁部(52)により前記戻し面域(49)と出口(53)とを連通する通路(55)が形成されて戻し面域(49)に落入したファール球を底面(52a)で案内して出口(53)から通出させる第１の球受け枠部(50)と、
前記遊技補助盤(7)の前面に設けられて前記第１の球受け枠部(50)の出口(53)および前記球出口(10)の下方に臨むと共に前記回収口(11)の前面側に出口(66)が臨み、前記回収口(11)に向けて下方傾斜する壁部(62a)により通路(65)が形成されて前記球出口(10)からのこぼれ球および第１の球受け枠部(50)の出口(53)からのファール球を受け入れて壁部(62a)で案内して出口(66)から通出させる第２の球受け枠部(60)と、
前記第２の球受け枠部(60)の出口(66)を前記回収口(11)に連通する回収路(67)とを備え、
前記第１の球受け枠部(50)および第２の球受け枠部(60)により、前記回収口(11)から前記戻し面域(49)に至るファール球処理経路(65,55)を左右２以上の異方向に屈曲連通する状態とし、
遊技機前側での異物不正侵入操作により、上球皿(19)から球出口(10)を通して主排出路(44)内に挿入された不正物(W)を前記規制揺動片(90)で阻止して前記賞球払出部(14)への侵入を制止する一方、下球皿(27)から回収口(11)および球受け容器(46)を通して遊技補助盤(7)の前面側に挿入された不正物(W)を、第１,第２の球受け枠部(50,60)の壁部(52,62a)で阻止して遊技盤(35)の遊技面(37)内への侵入を制止すると共に、下球皿(27)から球受け容器(46)を通して副排出路(45)から主排出路(44)内に挿入された不正物(W)を前記規制揺動片(90)で阻止して前記賞球払出部(14)への侵入を制止するようにした
ことを特徴とするパチンコ遊技機。
【請求項２】
前記壁部(52)における出口(53)の下方には、回収口(11)を介して侵入させた不正物(W)の侵入を制止する侵入阻止片(57)が垂直下方に延出形成されている請求項１記載のパチンコ遊技機。
【請求項３】
前記左右の案内片(54,54)の下端部には、返し片(56,56)が連設状態で屈曲形成されて、前記出口(53)側から侵入した不正物(W)が戻し面域(49)方向へ延出することを阻止するよう構成されている請求項１または２記載のパチンコ遊技機。
【請求項４】
前記遊技補助盤(7)には、前記球出口(10)の上縁部から前方へ延出する庇片(71)が一体的に形成されて、上球皿(19)を遊技補助盤(7)に対して閉鎖セットした際に、上球皿(19)の球受け筒(23)の後端縁と球出口(10)の前面との間に画成される間隙(70)からの不正物(W)の挿入を阻止するよう構成されている請求項１〜３の何れか一項に記載のパチンコ遊技機。
【請求項５】
前記案内レール(36)における前記球出口(10)の上方に位置する部位に、ガラス扉(17)と案内レール(36)の前端部との間隙(72)に介在する侵入阻止部材(73)を取り付けて、該間隙(72)を介して不正物(W)が遊技面(37)内へ侵入するのを阻止するよう構成した請求項１〜４の何れか一項に記載のパチンコ遊技機。
【請求項６】
前記第２の球受け枠部(60)は、前記遊技補助盤(7)の前面に設置されるスピーカの収容保持をなすセット部材(61)により形成される請求項１〜５の何れか一項に記載のパチンコ遊技機。
【発明の詳細な説明】
【０００１】
【発明の属する技術分野】
この発明は、パチンコゲーム中に発生したファール球(戻り球ともいう)の回収処理並びに異物を使用する不正行為の防止を図るようにしたパチンコ遊技機に関するものである。
【０００２】
【従来の技術】
従来から実施されているパチンコ機やアレンジボール機に代表される遊技機では、球送り装置と打球発射装置の協働により、上球皿内の遊技球を機内の発射レールの発射部位に１球ずつ送込んで同部位から遊技盤の案内レール内の遊技領域に打出してゲームを行ない得る。そして、ゲーム中に遊技領域で発生または成立した入賞条件(例えばセーフ球)に対して、裏側の機構セット盤における賞球払出部から払出された賞球について、上球皿側に連絡された主経路すなわち同セット盤内の主排出路と、前枠内側における遊技補助盤の球出口および上球皿裏側の球受け筒を介して皿内に給出し、また下球皿側に連絡する副経路すなわち同セット盤内の副排出路と、前枠の下部裏側の球受け容器を介して皿内に給出するようになっている。
【０００３】
一方、このような遊技機でのゲーム中においては、多かれ少なかれ一般にファール球または戻り球とも呼ばれている非遊技球、つまり発射部位から１球ずつ打出されたものの、打球力(発射飛走力)不足等に起因して遊技領域内に適正に到達し得ないまま案内レールに沿って降下して遊技補助盤の発射レール側へ逆戻りしようとする非遊技球が、不定期ではあるが必ずと言って発生している。このため何れのパチンコ機においても、ファール球の回収経路として発射レールの上端と案内レールの下端との間に、遊技補助盤の上部中央に位置する戻し口(ファール口ともいう)が適宜離隔開口広さで形成されて、この戻し口内に落下したファール球を、遊技補助盤の下部中央に開口した回収口から一旦裏側へ通出して前記球受け容器から下球皿の皿内に戻して回収し得るようになっている。
【０００４】
【発明が解決しようとする課題】
ところで、前述したパチンコ遊技機においては、戻し口を基準に観て前記球出口に適宜間隔をおいて連絡する上球皿の球受け筒が左側の近傍位置に臨み、また回収口が略真下の位置にあり、この回収口を介し下球皿の皿内が連絡状態にある。このため遊技機前側において、遊技盤の遊技領域に対する不正行為が行なわれ易い点があった。すなわち不正者が、線状の不正物(ワイヤ等)を使用する異物不正侵入操作として、不正物を巧みに操りながら、上球皿の皿内から球受け筒内に挿入させて遊技補助盤の前面に通した後に戻し口内に延出させたり、下球皿の皿内から球受け容器内に挿入させて回収口から遊技補助盤の前面に通した後に戻し口内に延出させる。そして何れの球皿からの不正操作にあっても、戻し口内に延出させた不正物を、遊技盤の案内レールとガラス扉の内側ガラス板との間に通して遊技領域内に到達させる。そうして、目標とする遊技部品(例えばチューリップタイプの開閉入賞装置)の羽根等を不正物で不正に開放させて、不正なゲーム更には利益を得ようとする企てが行なわれることがあった。
【０００５】
また前述したパチンコ遊技機においては、機裏側の貯留球を賞球として払出すことの他に、遊技用の貸し球として払出し得ることが要求されていることに応えて、電動タイプの賞球払出装置と球抜き装置とを併用した賞球排出装置からなる賞球払出部を装備しているが、この賞球排出装置では不正な球抜きによる遊技球の獲得を許してしまう欠点を内在しており、これを好適に阻止できない大きな問題があった。すなわち、遊技機の構成および賞球排出装置の形態等を熟知した不正者が、平常の遊技を装う姿勢で線状の不正物を上球皿に連絡する前記球出口から主排出路内に侵入させて、巧みに操りながら上方部に位置する前記球抜き装置側へ挿入して切換え弁を払出し位置に拘束保持する。このもとで球抜き用のスイッチを不正に検出作動させた場合には、すべての貯留球が球払出し解放状態で賞球払出装置から放出された後、前述の切換え弁により主排出路側へ排出されて上球皿または下球皿へ給出することが行なわれており、このような不正球抜きを好適に阻止する技術の確立が希求されている。
【０００６】
【発明の目的】
本発明は、前述した課題を好適に解決するべく新規に提案されたものであって、パチンコゲーム中に発生したファール球を球皿側へ戻して遊技球としての再使用を図ると共に、ファール球用の回収経路を悪用する不正用異物の侵入による不正行為を防止し、また賞品球用の排出路を悪用する不正用異物の侵入による不正行為を防止し得るようにしたパチンコ遊技機を提供することを目的とする。
【０００７】
【課題を解決するための手段】
前述した課題を克服し、所期の目的を達成するため、本発明に係るパチンコ遊技機は、
外枠に組付けられた前枠裏側における機構セット盤の賞球払出部から払出された賞球を、同セット盤に形成された主排出路と前枠内側における遊技補助盤に形成された球出口を介して上球皿側へ給出すると共に、主排出路に連通するよう同セット盤に形成された副排出路と前枠の下部裏側に設けられた球受け容器を介して下球皿側へ給出する一方、収容枠内にセットされた遊技盤前面の案内レール下端と収容枠下部の遊技補助盤前面の発射レール上端との間の戻し面域に落入したファール球を、遊技補助盤の下部中央に開口された回収口から球受け容器を介して下球皿へ戻すようにしたパチンコ遊技機にあって、
前記機構セット盤の主排出路の出口周辺内に前記球出口の上方に配設した支持軸に枢支されて自重により常には垂下状態に姿勢保持され、前記賞球払出部から払出されて主排出路へ通出した賞球により通出方向へ揺動変位されて該球の球出口側への通出を許容する規制揺動片と、
賞球の通出方向とは反対方向へ揺動した前記規制揺動片が当接して該規制揺動片の揺動変位を規制し、当接した規制揺動片とにより主排出路を閉塞する郭壁と、
前記遊技補助盤の前面に設けられて上方に拡開する左右の案内片の間に前記戻し面域が臨むと共に前記球出口の前面側部に出口が臨み、底面を出口へ向けて下方傾斜させた壁部により前記戻し面域と出口とを連通する通路が形成されて戻し面域に落入したファール球を底面で案内して出口から通出させる第１の球受け枠部と、
前記遊技補助盤の前面に設けられて前記第１の球受け枠部の出口および前記球出口の下方に臨むと共に前記回収口の前面側に出口が臨み、前記回収口に向けて下方傾斜する壁部により通路が形成されて前記球出口からのこぼれ球および第１の球受け枠部の出口からのファール球を受け入れて壁部で案内して出口から通出させる第２の球受け枠部と、
前記第２の球受け枠部の出口を前記回収口に連通する回収路とを備え、
前記第１の球受け枠部および第２の球受け枠部により、前記回収口から前記戻し面域に至るファール球処理経路を左右２以上の異方向に屈曲連通する状態とし、
遊技機前側での異物不正侵入操作により、上球皿から球出口を通して主排出路内に挿入された不正物を前記規制揺動片で阻止して前記賞球払出部への侵入を制止する一方、下球皿から回収口および球受け容器を通して遊技補助盤の前面側に挿入された不正物を、第１第２の球受け枠部の壁部で阻止して遊技盤の遊技面内への侵入を制止すると共に、下球皿から球受け容器を通して副排出路から主排出路内に挿入された不正物を前記規制揺動片で阻止して前記賞球払出部への侵入を制止するようにしたことを特徴とする。
【０００８】
【作用】
上球皿前側からの不正操作において、不正物を主排出路を介して賞球払出部へ侵入させようとした場合には、該主排出路の出口周辺部に配設した規制揺動片を突上げるようになるから、主排出路が閉塞されて該不正物のそれ以上の侵入を好適に制止し、不正球抜き獲得を好適に防止し得る。また、下球皿前側からの不正操作において、不正物を回収口および球受け容器を介して遊技補助盤の前面まで侵入させ得たとしても、ファール球の処理経路である第２の球受け枠部の通路と第１の球受け枠部の通路とが左右２以上の異方向に屈曲連通しているから、不正物を戻し面域の方向に延出させることも全く不可能であり、該不正物を戻し面域を介して遊技盤の遊技面内へ侵入させる不正行為を好適に防止し得る。更に、下球皿前側からの不正操作において、球受け容器を通して副排出路から主排出路内に不正物を挿入させたとしても、前記規制揺動片により不正物の侵入を阻止して不正球抜き獲得を好適に防止し得る。
【０００９】
【発明の実施の形態】
次に、本発明に係るパチンコ遊技機につき、好適な実施例を挙げて添付図面を参照しながら、以下詳細に説明する。なお、本実施例では、最も一般化されている遊技盤着脱交換型式にあって、パチンコゲーム中に発生したファール球と上球皿の開放時に生じたこぼれ球を、回収して皿側へ戻すようにしたパチンコ機を主に例示する。
【００１０】
先ず、図１に全体が略示されたパチンコ機について要約説明する。すなわち外郭保持枠用の外枠１の開口前面に、後述する各種の遊技用構成部材等の塔載用の前枠２が着脱および開閉可能に組付けられている。この前枠２は、全体が合成樹脂成形された場合のものを例とし、主要構造部として図２に示すように、外枠１の開口前面に適合する外形サイズとされて内側に窓口４を開設した枠体３と、この枠体３の正面内側に位置されて遊技盤用のセット口６を開設した収容枠５と、セット口６の下方に位置されて遊技盤と整合される遊技補助盤７とが、連設枠形に一体成形されている。そして枠体３下部の支持盤部３Ａに、下球皿用のセット口８や打球発射装置用のセット孔９等が成形されており、また遊技補助盤７の各部に、賞球用の球出口１０、ファール球およびこぼれ球用の回収口１１、そしてアウト球用の排出路１３等が夫々成形されている。なお前記窓口４の下底内面は、球戻し口１１に向けて適宜斜状に形成され、また収容枠５のセット口６の内周囲には、遊技盤を位置決めセットする係止保持部１５等が成形されている。ちなみに収容枠５は、単独で樹脂成形されて前枠２裏側に組付けられるタイプもある。
【００１１】
前枠２の各部に設置される主要な遊技用構成部材については、図１および図４に略示するように、枠体３における窓口４の開口周囲に取着された窓枠１６に、ガラス扉１７および前面開閉板１８が横開き可能に組付けられ、この前面開閉板１８の前側と内側に遊技球用の上球皿１９と球送り装置２１が夫々セットされている。そして前面開閉板１８の左部後側に、前記球出口１０に適宜間隔をおいて連絡可能とされた球受け筒２３が突設されて、その給出路２４の開口前面を上球皿１９の皿部２０の上流部に臨ませている(図５参照)。一方、枠体３の支持盤部３Ａ前面に下球皿２７が定置セットされて、その皿部２８をセット口８に合わせて連絡している。また補助盤２５は、打球発射装置２９の操作部３０を予じめセットしたもとで、支持盤部３Ａの前面に装着されて、その中央部に開設した球排出口２６を前記セット口８に合わせると共に、下球皿２７の皿部２８に連絡している。
【００１２】
そして収容枠５のセット口６に対しては、円形状の案内レール３６内に各種の遊技部品３８やアウト口３９を含む遊技領域(遊技面)３７を構成した遊技盤３５が前側から着脱交換可能に収容セットされて、遊技補助盤７の上面に整合されている。また収容枠５の裏側に、アウト球,セーフ球,賞球に係る各種の球処理部等を備えた機構セット盤４１が、着脱または開閉可能にセットされている。このセット盤４１では、図４〜図７に示すように、アウト球用の排出路１３に連通する排出部４２と、セーフ球用の集合排出路４３等が区画形成されると共に、賞球払出部１４の下方に球出口１０側に連通する主排出路４４と、これより分岐連設されてセット口８側に連通する副排出路４５が画成されている。そして副排出路４５および前記回収口１１は、枠体３のセット口８裏側に合わせて取着された一つの球受け容器４６で集約的に連通されている。
【００１３】
一方遊技補助盤７の正面右側前面に、遊技盤３５の案内レール３６に飛翔連絡される発射レール４８が適宜傾斜で設置されており、その下端基部の発射部位に、前記球送り装置２１により１球ずつ送込まれた遊技球を着座させ得ると共に、前記打球発射装置２９の打球杆３２を臨ませ得るようになっている。そして双方のレール３６,４８について観ると、図２に示すように、発射レール４８の上端と案内レール３６の下端が、遊技補助盤７の上面に近い下方位置と上方位置にあって、互いに適宜高低差および離隔空間広さを以って対向しており、この離隔空間広さの開口域をファール球用の戻し面域４９として構成している。なお発射レール４８は、遊技補助盤７の前面に取着される基盤４７にセットされている。ちなみに発射レール４８に沿った軌跡を基準に観て案内レール３６の下端は下位にあり、両レール３６,４８の上,下端が略球１個分の高低差に設定されている。
【００１４】
(ファール球処理経路)
本実施例のパチンコ機に実施されるファール球処理経路では、発射レール４８と案内レール３６の間に構成された前記ファール球用の戻し面域４９に対して、図２および図３に示すように、該戻し面域４９の下側に設置した球受け部材５１により形成される第１の球受け枠部５０と、スピーカ用のセット部材６１により形成される第２の球受け枠部６０とにより、該戻し面域４９に入った全てのファール球を、前記回収口１１および該回収路１１に整合した前記球受け容器４６の回収樋４６ａを介して下球皿２７の皿部２８へ直接戻すようになっている。
【００１５】
(第１の球受け枠部)
第１の球受け枠部５０は、図２および図３に示すように、前記遊技補助盤７の前面上端部において、ファール球用の戻し面域４９の直下方に合わせてビス等により着脱交換可能に装着される球受け部材５１により形成されている。すなわち球受け部材５１は、合成樹脂成形加工に基いて上面と前面を開口した壁部５２により正面凹形枠状に成形されたものが例とされており、そして底面５２ａが左下部に形成された出口５３に向けて適宜左下がりの傾斜に形成されている。この壁部５２の左側部分は、前記球受け筒２３(給出路２４)と戻し面域４９との間に位置している。また、ファール球に対する当て受けや転落案内および跳ね上り防止をなすための案内片５４,５４が上方に拡開した逆ハ字状に形成され、該案内片５４,５４の上端部が夫々のレール３６,４８の各先端位置に整合されている。これにより第１の球受け枠部５０は、前記案内片５４,５４および壁部５２により略逆Ｌ形の通路５５として形成され、戻し面域４９の上方から落入したファール球は、壁部５２の底面５２ａで左方へ案内されて前記出口５３から通出される。なお、前記通路５５は複数個のファール球を収容し得る広さとされ、左右両側の案内片５４,５４の下端部から連設状態で屈曲形成された返し片５６,５６により、ファール球の跳ね上り転落を好適に阻止できるようになっている。また、壁部５２における出口５３の下方には、垂直下方に延出した侵入阻止片５７が形成されており、後述すると共に図２に示すように、回収口１１を介して侵入させた不正物Ｗの先端が引掛かるようにして不正行為を妨げるようになっている。更に壁部５２の前面開口部には、図３に２点鎖線で示すように、蓋板５８がビス着される。
【００１６】
(第２の球受け枠部)
また、遊技補助盤７の正面左側前面を利用してスピーカの収容保持をなすセット部材６１が着脱可能に設置され、このセット部材６１が第２の球受け枠部６０を形成してファール球の受け入れ処理をなし得るようになっている。すなわちセット部材６１は、図２および図３に示すように、補助盤７前面に整合定着されるケース状の本体６２と、この本体６２の前面に取着される開閉蓋６３から構成されており、通常では両者６２,６３間に画成された収容室内にスピーカ６４等を内蔵してユニット化部材とされている。前記本体６２上面の壁部６２ａは、前記回収口１１に向けて適宜右下がりの傾斜に形成されていると共に、開閉蓋６３には前方へ膨出した球受け片６３ａが形成され、該壁部６２ａにより右下がりの略直線状の通路６５を形成する第２の球受け枠部６０となる。そしてセット部材６１は、第２の球受け枠部６０を前記第１の球受け枠部５０における出口５３の下方に臨ませると共に、通路６５の出口６６を前記回収口１１に連通する回収路６７に臨ませた状態でセットされ、該第２の球受け枠部６０に受け入れたファール球を該回収路６７を通出した後に前記回収口１１へ排出し得るようになっている。なお、前記回収路６７は遊技補助盤７に凹設されていると共に、回収口１１の左方には球止め片６８が形成されている。
【００１７】
前記セット部材６１は、前述したファール球の受入れ処理の他に、前記賞球用の球出口１０から落下したこぼれ球の受け入れ処理をもなし得るようになっている。すなわちセット部材６１は、図２に示すように、第２の球受け枠部６０を前記賞球用の球出口１０の垂直下方に臨ませた状態でセットされているので、球受け筒２３内や主排出路４４内に停留していた賞球が、前枠２の開閉に伴って通出落下してこぼれ球となった際には、前記ファール球と同様に、該こぼれ球を前記第２の球受け枠部６０に受け入れて前記回収路６７を介して回収口１１へ通出し、回収樋４６ａを介して最終的に下球皿２７へ排出するようになる。
【００１８】
そして本実施例のパチンコ機では、上球皿１９の皿部２０内から球受け筒２３内に針金状や帯状材等の不正物Ｗを挿入させたり、下球皿２７の皿部２８から球受け容器４６内に該不正物Ｗを挿入させることによる不正行為を好適に防止し得るようになっている。すなわち、上球皿１９(前面開閉板１８)を閉鎖セットして球受け筒２３と球出口１０とを前後方向に連通させた状態では、図５および図６に示すように、該球受け筒２３の後端縁と該球出口１０の前面との間に適宜の間隙７０(２ｍｍ程度)が画成されるため、該球出口１０の上縁部に前方へ延出する庇片７１を遊技補助盤７と一体的に形成して、該庇片７１を前記間隙７０の上縁部に延在させるように構成してある。また、ガラス扉１７の閉鎖セット状態では、図８に示すように、内側ガラス１７Ａと案内レール３６との間に適宜の間隙７２(１〜１.５ｍｍ程度)が画成されるため、該案内レール３６における前記球出口１０の上方に位置する部位には、ガラス扉１７の内側ガラス１７Ａと案内レール３６の前端部との間隙７２に介在し得る折返部７３ａを有する侵入阻止部材７３がビス着されている(図２,図４および図８参照)。更に前述した如く、前記球受け筒２３(球出口１０)と戻し面域４９との間に、第１の球受け枠部５０の壁部５２や案内片５４および返し片５６が位置している。このような不正対策防止例によれば、上球皿１９前側からの不正操作において、皿部２０から球受け筒２３内に挿入させた前記不正物Ｗを、前記間隙７０を介して上方へ延出させることは勿論、該不正物Ｗを内側ガラス１７Ａと案内レール３６との間隙７２を介して最終的に遊技領域３７内に侵入させようとする不正行為を好適に防止することができる(図５参照)。更に、皿部２０から給出路２４および間隙７０を介して挿入させた前記不正物Ｗを、戻し面域４９から遊技領域３７内に侵入させようとする不正行為をも好適に防止することができる。
【００１９】
また本実施例のパチンコ機では、前記球受け部材５１およびセット部材６１により構成されるファール球の処理経路が、前述した如く、正面左方向に向けて延在する第１の球受け枠部５０と、正面右方向に向けて延在する第２の球受け枠部６０とにより、左右２回の異方向に屈曲連通する状態となっている。しかも、前記球受け部材５１では、逆ハ字状の案内片５４,５４および該案内片５４,５４の下端部に適宜の屈曲状態で形成された返し片５６,５６により、例えば出口５３側から侵入した線状の不正物Ｗを戻し面域４９方向へ延出することを好適に阻止するようになっている。このような不正対策防止例によれば、下球皿２７前側からの不正操作において、前記不正物Ｗを皿部２８から球受け容器４６内に挿入させて前記排出樋４６,回収口１１および回収路６７を介して遊技補助盤７の前面まで侵入させ得たとしても、前記庇片７１を形成すると共に侵入阻止部材７３を配設したことにより、該不正物Ｗを前記間隙７０,７２を介して遊技領域３７内へ侵入させようとする不正行為を好適に防止し得る(図２および図４参照)。また、第２の球受け枠部６０の通路６５と第１の球受け枠部５０の通路５５とは、前述すると共に図２に示すように略正反対方向に延在しているから、下球皿２７前側から遊技補助盤７の前面に侵入させた前記不正物Ｗを、球受け部材５１の出口５３を介して戻し面域４９方向に延出させることも全く不可能となり、該不正物Ｗを戻し面域４９を介して遊技領域３７内へ侵入させようとする不正行為も好適に防止することができる。
【００２０】
更に本実施例のパチンコ機では、アウト球およびセーフ球の各球処理部を有する前記機構セット盤４１において、遊技盤点検用の窓口４１ａの右側に配設された前記賞球払出部１４が、図７に示すように、縦長方形箱状にユニット化された賞球排出装置７５を主体とし、合成樹脂製のケース体７６内に球通路を区画形成すると共に、この球通路に臨む部位に電動式の球払出し部７７と切換え排出部８２とを夫々組付けて、ケース体毎に取扱い得るようになっている。球払出し部７７は、回転スプロケット状の球送り体７８と、該球送り体７８の回転・停止制御を行なう電磁ソレノイド７９と、第１,第２の検出具８０,８１を備え、図示しない球貯留排出経路部からの球を１個ずつ検出しながら通入出する。また切換え排出部８２は、揺動して姿勢変位されるレバー状の切換え弁８３を備え、賞球および貸し球を前記主排出路４４側へ排出すると共に、貯留球を球抜き路８４側へ切換え排出するようになっている。
【００２１】
そして、このように構成された本実施例の賞球払出部１４における賞球排出装置７５において、不正球抜き獲得に係る防止対策技術については、図７に示すように、前記機構セット盤４１における賞球払出部１４の下方と球出口１０側を連通する主排出路４４の出口周辺部の所定位置に、払出された賞球の通出方向への開放(揺動)が許容された規制揺動片９０を配設してある。この規制揺動片９０は、球出口１０の上方に配設した支持軸９１に枢支されて自重により常には垂下状態に姿勢保持され、前記賞球排出装置７５から払出された貸し球または賞球が主排出路４４へ通出された際には、これら球の落下勢力により図の時計方向へ揺動変位し、該球の球出口１０側への通出を許容するようになっている。一方、規制揺動片９０は、下端が郭壁９２に当接するまでの揺動変位は許容されるが、それ以上の反時計方向への揺動変位は該郭壁９２により規制されるようになっており、揺動片９０と郭壁９２とにより主排出路４４は完全に閉塞される。このような不正球抜き獲得に係る防止対策技術によれば、上球皿１９前側からの不正操作において、前記不正物Ｗを皿部２０から球受け筒２３内に挿入させ、主排出路４４を介して賞球払出装置１４側へ侵入操作した場合、規制揺動片９０を主排出路４４の上流側へ突上げるようになるから、該揺動片９０の下端が郭壁９２に係止されて揺動が規制され、該不正物Ｗのそれ以上の侵入を好適に制止することができる(図５および図７参照)。
【００２２】
【実施例の作用】
前述した本実施例のパチンコ機においては、従前の他のパチンコ機と同様に、上球皿１９を通常の閉鎖セット状態に保持したもとで遊技に供される。そして本来のパチンコゲームとして、上球皿１９内に投入(収容)された遊技用のパチンコ球が先行順に球送り装置２１内に通入しているもとで、打球発射装置２９の操作部３０を操作することにより、同装置２９の打球作動部による打球作動と、これにタイミングを合わせた球送り装置２１による球送り作動との協働により、遊技球が１球ずつ順次発射レール４８の発射部位に送込まれて着座後に打球杆３２で打出され、発射レール４８から戻し口４９を飛び越えて遊技盤３５の案内レール３６に沿って飛走して遊技領域３７に打込まれる。そして遊技領域３７内において、遊技球は、各方向に移動・落下しながら入賞口に入ったものがセーフ球、アウト口３９に入ったものがアウト球に区分されて、夫々の経路４３,１３,４２から最終的には機裏側へ排出されて回収部側に移送処理される。
【００２３】
一方、夫々のセーフ球が賞球払出部１４の賞球排出装置７５で１球ずつ検出処理されることに基いて、賞球払出部１４における賞球排出装置７５の作動により設定数単位で払出された賞球は、主排出路４４内の規制揺動片９０を揺動させながら球出口１０を介して上球皿１９へ優先的に排出される。そして、該上球皿１９の皿部２０の充満以降に排出される賞球は、副排出路４５から球収容器４６および球排出口２６を介して下球皿２７へ排出される。
【００２４】
このようなパチンコゲームにあって、本来発射部位から１球ずつ適正に打出された遊技球は、その打球力(発射力)を以って発射レール４８に延長する軌跡上に沿って上端からファール球用の戻し面域４９を飛び越えて案内レール３６の下部に到達し、そのまま同レール３６に沿って上昇飛走しながら遊技領域３７内に正常に打込まれる。しかしながら発射部位から発射されたものの、打球力不足等に起因して遊技領域３７内に到達し得なかった遊技球については、ファール球(戻り球)として戻し面域４９に転落することになり、ゲーム中不定期ながら案外多く発生することもある。なおこのファール球については、その発生状態から観ると、案内レール３６に沿って上昇飛走したものの途中から降下して下端から転落するもの、案内レール３６の下部に到達したものの下端から転落するもの、そして案内レール３６に到達し得ないまま発射レール４８の上端から転落するものがある。
【００２５】
そこで本実施例のパチンコ機では、前述のように発生したファール球を、次のようにして好適に回収処理し得る。すなわち戻し面域４９に転落したファール球を第１の球受け枠部５０内に受け入れる態様として、案内レール３６の下端からのファール球を右側の案内片５４で一旦当て受け、また発射レール４８の上端からのファール球を左側の案内片５４で一旦当て受けた状態で、夫々のファール球を球受け枠部５０の通路５５内に静かに受け入れ得る。そしてこの第１の球受け枠部５０では、両側の返し片５６,５６によりファール球が戻し面域４９から外へ跳ね出すことを好適に防止し得る。このように第１の球受け枠部５０内に受け入れられたファール球は、通路５５内を出口５３側へ転動して該出口５３から通出され、下方に位置した第２の球受け枠部６０に受け入れられる。そして、第２の球受け枠部６０に受け入れられたファール球は、通路６５内を出口６６側へ転動して該出口６６から回収路６７へ通出された後に、回収口１１,球受け容器４６の排出樋４６ａおよび球排出口２６を介して下球皿２７の皿部２８内に回収される(図２および図４参照)。
【００２６】
また、上球皿１９(前面開閉板１８)の開放により、球受け筒２３の内部や主排出路４４内に停留していた賞球が、球出口１０から前方へ落下してこぼれ球が発生した場合には、該こぼれ球は球出口１０の下方に位置した前記第２の球受け枠部６０に受け入れられる。そしてこぼれ球は、第２の球受け枠部６０に通出される前記ファール球と同様に、該球受け枠部６０の通路６５内を出口６６側へ転動して該出口６６から回収路６７,回収口１１,排出樋４６ａおよび球排出口２６を介し、最終的に前記下球皿２７の皿部２８内に回収される。
【００２７】
ところで本実施例のパチンコ機では、遊技機前側の上球皿１９に臨む球出口１０や下球皿２７に臨む球排出口２６を利用して、針金状や帯状材等の不正物Ｗを遊技盤３５の遊技領域３７に侵入させる不正行為を好適に防止し得る。すなわち不正者が、上球皿１９の皿部２０内から給出路２４内に挿入させた前記不正物Ｗを、該球受け筒２３の後端縁と球出口１０の前面との間に画成した間隙７０を利用して遊技盤３５の遊技領域３７へ侵入させようとした場合には、球出口１０の上縁部から間隙７０の上方に延出した庇片７１に不正物Ｗの先端が当接してしまうから、該不正物Ｗの遊技領域３７への侵入を好適に阻止して不正行為を防止し得る(図５参照)。また仮に、前記間隙７０の側部(例えば右側)より不正物Ｗを侵入させ、前記庇片７１と球受け部材５１との間から侵入させたとしても、案内レール３６に取着した侵入阻止部材７３により、該不正物Ｗの遊技領域３７への侵入を好適に阻止して不正行為を防止し得る(図２参照)。更に、球受け筒２３の右側方には前記第１の球受け枠部５０の壁部５２が位置しているから、間隙７０の側部から侵入させた不正物Ｗを、戻し面域４９側へ侵入させることも不可能である。なお、前記間隙７０の左側部より不正物Ｗを侵入させたとしても、該不正物Ｗの先端が遊技領域３７の中央方向へ指向させることは不可能である。従って、このような不正対策防止例によれば、上球皿１９前側からの不正物Ｗによる不正行為は全く不可能となる。
【００２８】
また不正者が、下球皿２７の皿部２８内から球受け容器４６内に挿入させた針金状や帯状材等の不正物Ｗを、排出樋４６ａ,回収口１１および回収路６７を介して遊技補助盤７の前面へ侵入させ、前記球受け筒２３の後端縁と球出口１０の前面との間の間隙７０を介して遊技領域３７へ侵入させようとした場合には、前述した如く、該間隙７０の上方に延在した庇片７１により、該不正物Ｗの遊技領域３７への侵入を好適に阻止して不正行為を防止し得る。また、下球皿２７から遊技補助盤７の前面に侵入させた前記不正物Ｗを、ファール球用の戻し面域４９を介して遊技領域３７へ侵入させようとした場合には、ファール球処理経路を構成する第２の球受け枠部６０の通路６５と第１の球受け枠部５０の通路５５とが、左右の異方向に屈曲連通した状態に延在しているので、該不正物Ｗをこれら通路６５,５５を介して戻し面域４９方向へ侵入させることは全く不可能である。更に、下球皿２７から遊技補助盤７の前面に侵入させた前記不正物Ｗを、球受け筒２３と球受け部材５１との間の空間を介して遊技領域３７へ侵入させようとした場合には、案内レール３６に取着した前記侵入阻止部材７３により、該不正物Ｗの遊技領域３７への侵入を好適に阻止して不正行為を防止し得る。なお、不正物Ｗを回収路６７を介して遊技補助盤７の前面に侵入させた場合には、該不正物Ｗの先端部が先ず球受け部材５１に形成した侵入阻止片５７に引掛かるようになり、これにより不正行為をある程度阻止することができる。従って、このような不正対策防止例によれば、下球皿２７前側からの不正物Ｗによる不正行為は全く不可能となる。
【００２９】
更に本実施例のパチンコ機では、遊技機前側の上球皿１９に臨む球出口１０を利用して針金状や帯状材等の不正物Ｗを遊技機裏側へ侵入させ、機構セット盤４１に配設した賞球払出部１４を不正操作することによる不正球抜き獲得をも好適に防止し得るようになっている。すなわち不正者が、上球皿１９の皿部２０内から球受け筒２３内に挿入させた前記不正物Ｗを、機構セット盤４１に画成した賞球用の主排出路４４を利用して賞球払出部１４側へ侵入させようとした場合には、規制揺動片９０が主排出路４４の上流側へ適宜突上げられて該揺動片９０の下端が郭壁９２に当接し、それ以上の揺動が規制されると共に主排出路４４が完全に閉塞されるようになるから、不正物Ｗのそれ以上の侵入を好適に阻止し得る(図５および図７参照)。従って、このような不正球抜き獲得に係る防止対策技術によれば、上球皿１９前側からの不正物Ｗによる不正球抜き獲得は全く不可能となる。
【００３０】
【変更例】
図９は、本発明のパチンコ機に実施されるファール球処理経路の変更例を示すものであり、左右２回の異方向に屈曲連通する状態に延在させた第１の球受け枠部５０と第２の球受け枠部６０とを、前枠２の遊技補助盤７に一体的に成形した例を示している。すなわち第１の球受け枠部５０は、上面と前面を開口した正面凹形枠状の壁部５２が遊技補助盤７の前側から前方へ延出し、底面５２ａが左下部に形成された出口５３に向けて適宜左下がりの傾斜に形成されると共に、ファール球に対する当て受けや転落案内および跳ね上り防止をなすための案内片５４,５４が上方に拡開した逆ハ字状に形成され、該案内片５４,５４の上端部が戻し面域４９に整合した状態に形成されている。これにより第１の球受け枠部５０は、前記案内片５４,５４および壁部５２により右から左方向に延在する略逆Ｌ形の通路５５として形成され、戻し面域４９の上方から落入したファール球を、壁部５２の底面５２ａで左方へ案内して前記出口５３から通出させる。なお、左側の案内片５４の下端部から返し片５６が連設状態で屈曲形成され、球受け筒２３と球出口１０との間隙７０を介して侵入させた不正物Ｗを、左側の案内片５４および返し片５６により当て受けて戻し面域４９側への侵入を阻止するようになっている。また、壁部５２における出口５３の下方には、垂直下方に延出した侵入阻止片５７が形成されており、回収口１１を介して侵入させた不正物Ｗの先端が引掛かるようにして不正行為を妨げるようになっている。
【００３１】
第２の球受け枠部６０は、正面Ｌ字形状の壁部６２ａが遊技補助盤７の前方へ延出し、その底面が該補助盤７の中央下部に形成した前記回収口１１に向けて適宜右下がりの傾斜に形成されていると共に、左側の垂直面が前記球出口１０の左側下方に整合した状態に形成されている。これにより第２の球受け枠部６０は、前記壁部６２ａにより左から右方向に延在する略Ｌ形の通路６５として形成され、第１の球受け枠部５０の出口５３から通出されたファール球を、通路６５から出口６６を介して前記回収路１１へ通出させる。また、前枠２の開閉に伴って主排出路４４内に停留していた賞球が球出口１０から通出落下したこぼれ球は、前記ファール球と同様に、前記第２の球受け枠部６０に受け入れて出口６６から回収口１１へ通出し、回収樋４６ａを介して最終的に下球皿２７へ排出される。なお、第１の球受け枠部５０の右側端部下方と、第２の球受け枠部６０の中央下方には、垂直に延在する郭壁９５,９５が形成され、これら郭壁９５,９５により第２の球受け枠部６０の出口６６と回収口１１との間を連通する回収路６７が画成されている。また第１の球受け枠部５０および第２の球受け枠部６０の前面には、各球受け枠部５０,６０全体を覆蓋する蓋板９６がビス等により取着される(図９に２点鎖線で示す)。
【００３２】
このように変更例においても、第１の球受け枠部５０の壁部５２を給出路２４と戻し面域４９の間に形成してあるから、上球皿１９前側からの不正操作を好適に防止することができる。すなわち不正者が、針金状または帯板状の不正物Ｗを、皿部２０から給出路２４および間隙７０を介して遊技補助盤７の前面へ侵入させ得たとしても、壁部５２により該不正物Ｗを戻し面域４９を介して遊技盤３５の遊技領域３７へ侵入させようとする不正行為を好適に防止することができる。また、前記第１の球受け枠部５０と第２の球受け枠部６０を左右２回の異方向に屈曲連通する状態としているから、下球皿２７前側からの不正操作を好適に防止することができる。すなわち不正者が、針金状または帯板状の不正物Ｗを、皿部２８から球受け容器４６内に挿入させて前記排出樋４６,回収口１１および回収路６７を介して遊技補助盤７の前面まで侵入させ得たとしても、該不正物Ｗを第２および第１の各球受け枠部６０,５０および戻し面域４９を介して遊技盤３５の遊技領域３７へ侵入させようとする不正行為を好適に防止することができる。なお、不正物Ｗを回収路６７を介して遊技補助盤７の前面に侵入させた場合には、該不正物Ｗの先端部が先ず侵入阻止片５７に引掛かるようになり、これにより不正行為をある程度阻止することができる(図９参照)。
【００３３】
なお、前記実施例および変更例では、ファール球処理経路を構成する第１の球受け枠部５０と第２の球受け枠部６０とを、左右２回の異方向に屈曲連通する状態に延在した例を示したが、この屈曲数はこれに限るものではなく、例えば左右に３回以上の異方向に屈曲連通する状態に延在させるようにすれば、針金状や帯板状の不正物Ｗを戻し面域４９を介して遊技盤３５の遊技領域３７へ侵入させることは一段と困難となり、不正行為を更に好適に防止することができる。
【００３４】
【発明の効果】
以上説明した如く、本発明に係るパチンコ遊技機によれば、ファール球処理経路を構成する第１の球受け枠部と第２の球受け枠部を介することにより、戻し面域に落入したファール球を回収口を介して下球皿へ好適に排出することができる。しかも、前記第１の球受け枠部と第２の球受け枠部は、左右２回以上の異方向に屈曲連通する状態に延在させたことにより、下球皿前側からの不正物の侵入による不正操作を好適に防止することができる。すなわち、下球皿から回収口および球受け容器を介して遊技補助盤の前面に不正物を侵入させ得たとしても、前記第１の球受け枠部と第２の球受け枠部とが略反対方向へ延在しているから、これら第１の球受け枠部の壁部および第２の球受け枠部の壁部で不正物の侵入が阻止され、ファール球の戻し面域を介して遊技盤の遊技面へ該不正物を侵入させる不正行為が好適に防止される利点がある。
【００３５】
また、本発明に係るパチンコ遊技機によれば、上球皿への球出口と賞球払出部との間に延在する主排出路の出口周辺内に、賞球の通出方向への開放が許容された規制揺動片を取着した。すなわち不正者が、上球皿に臨む球出口から挿入させた不正物を、主排出路を介して賞球払出部側へ侵入させようとした場合には、前記規制揺動片が上流側へ適宜突上げられて該主排出路を完全に閉塞して該不正物の侵入が阻止されるようになり、該賞球払出部を不正操作することによる不正球抜き獲得も好適に防止し得る利点がある。更に、下球皿前側からの不正操作において、球受け容器を通して副排出路から主排出路内に不正物を挿入させたとしても、前記規制揺動片により不正物の侵入を阻止して不正球抜き獲得を好適に防止し得る。
【図面の簡単な説明】
【図１】実施例に係るパチンコ機全体を略示する正面図である。
【図２】前枠内側の遊技補助盤周囲部分を主に示す正面図である。
【図３】ファール球処理主要部を分解して略示する斜視図である。
【図４】遊技補助盤,上球皿および下球皿の縦断側面図である。
【図５】賞球の球出口部分における遊技補助盤および上球皿の縦断側面図である。
【図６】賞球の球出口部分を一部破断して示す横断平面図である。
【図７】パチンコ機裏側の機構セット盤に配設した球処理部の背面図である。
【図８】遊技盤の案内レールに取着した侵入阻止部材を示す縦断側面図である。
【図９】ファール球処理部の変更例を示す正面図である。
【符号の説明】
１  外枠                          ２  前枠
５  収容枠                        ７  遊技補助盤
１０  球出口                      １１  回収口
１４  賞球払出部                  １７  ガラス扉
１９  上球皿                      ２３  球受け筒
２７  下球皿                      ３５  遊技盤
３６  案内レール                  ３７  遊技領域(遊技面)
４１  機構セット盤                ４４  主排出路
４５  副排出路                    ４６  球受け容器
４８  発射レール                  ４９  戻し面域
５０  第１の球受け枠部            ５２  壁部
５２ａ  底面                      ５３  出口
５４  案内片                      ５５  通路
５６  返し片 ５７  侵入阻止片
６０  第２の球受け枠部            ６２ａ  壁部
６５  通路                        ６６  出口
７０  間隙 ７１  庇片
７２  間隙 ７３  侵入阻止部材
９０  規制揺動片                  ９１  支持軸
９２  郭壁                        Ｗ  不正物
【図１】
0003921578.tif 000002
【図２】
0003921578.tif 000003
【図３】
0003921578.tif 000004
【図４】
0003921578.tif 000005
【図５】
0003921578.tif 000006
【図６】
0003921578.tif 000007
【図７】
0003921578.tif 000008
【図８】
0003921578.tif 000009
【図９】
0003921578.tif 000010